(57)【要約】【課題】  プレイリストの特定情報を知らない場合でも、プレイリストに含まれる曲名から、その曲を含むプレイリストを再生できる再生装置を提供する。【解決手段】  読取部１６にセットされた音楽ＣＤに記録された曲データをＨＤＤ２１に複製する複製手段を有する再生装置１において、音楽ＣＤに記録されている曲データのプレイリストを作成するリスト作成手段と、リスト作成手段により作成したプレイリストを保持するリスト保持手段と、外部から入力された曲情報に基づいて、リスト保持手段に保持されているプレイリストを特定するリスト特定手段と、リスト特定手段により特定されたプレイリストに従って、ＨＤＤ２１に複製された曲データを再生する再生手段とを有する。【選択図】        図１
2005085303.tif 000002
【特許請求の範囲】
【請求項１】
記憶手段に記憶された複数の曲データをプレイリスト単位で再生可能な再生装置において、
曲名情報を含む曲データのプレイリストを作成するプレイリスト作成手段と、
前記プレイリスト作成手段が作成したプレイリストを保持するリスト保持手段と、
曲名を入力する曲名入力手段と、
前記曲名入力手段により入力された曲名情報を有するプレイリストを前記リスト保持手段に保持されているプレイリストから検索するリスト検索手段と、
前記リスト検索手段により検索されたプレイリストに従って、前記記憶手段に記憶された曲データを再生する再生手段とを有することを特徴とする再生装置。
【請求項２】
前記曲名入力手段は、前記記憶手段に記憶された複数の曲データの曲名をリスト表示し、該曲名リストの中から選択された曲名を入力することを特徴とする請求項１記載の再生装置。
【請求項３】
前記再生装置は更に、前記リスト保持手段に保持されているプレイリストに含まれている曲名をユーザに入力させるためのダイアログを表示するダイアログ表示手段を有することを特徴とする請求項１記載の再生装置。
【請求項４】
前記再生装置は更に、前記リスト検索手段により検索されたプレイリストが複数あった場合に、再生するプレイリストをユーザに選択させるためのダイアログを表示するダイアログ表示手段を有することを特徴とする請求項１から請求項３のいずれか一項に記載の再生装置。
【請求項５】
記憶手段に記憶された複数の曲データをプレイリスト単位で再生可能な曲データの再生方法において、
曲名情報を含む曲データのプレイリストを作成するプレイリスト作成段階と、
前記プレイリスト作成段階で作成したプレイリストをリスト保持手段に保持させる段階と、
曲名を入力する曲名入力段階と、
前記曲名入力段階で入力された曲名情報を有するプレイリストを前記リスト保持手段に保持されているプレイリストから検索するリスト検索段階と、
前記リスト検索手段で検索されたプレイリストに従って、前記記憶手段に記憶された曲データを再生する再生段階とを有することを特徴とする曲データの再生方法。
【請求項６】
前記曲名入力段階は、前記記憶手段に記憶された複数の曲データの曲名をリスト表示し、該曲名リストの中から選択された曲名を入力することを特徴とする請求項５記載の曲データの再生方法。
【請求項７】
前記曲データ再生方法は更に、前記リスト保持手段に保持されているプレイリストに含まれている曲名をユーザに入力させるためのダイアログを表示するダイアログ表示段階を有することを特徴とする請求項５記載の曲データの再生方法。
【請求項８】
前記曲データ再生方法は更に、前記リスト検索段階により検索されたプレイリストが複数あった場合に、再生するプレイリストをユーザに選択させるためのダイアログを表示するダイアログ表示段階を有することを特徴とする請求項５から請求項７のいずれか一項に記載の曲データの再生方法。
【請求項９】
記憶手段に記憶された複数の曲データをプレイリスト単位で再生させるために、コンピュータを、
曲名情報を含む曲データのプレイリストを作成するプレイリスト作成手段、
前記プレイリスト作成手段が作成したプレイリストをリスト保持手段に保持させる手段、
曲名を入力する曲名入力手段、
前記曲名入力手段により入力された曲名情報を有するプレイリストを前記リスト保持手段に保持されているプレイリストから検索するリスト検索手段、
前記リスト検索手段により検索されたプレイリストに従って、前記記憶手段に記憶された曲データを再生させる手段として機能させるための曲データの再生プログラム。
【請求項１０】
前記曲名入力手段は、前記記憶手段に記憶された複数の曲データの曲名をリスト表示し、該曲名リストの中から選択された曲名を入力することを特徴とする請求項９記載の曲データの再生プログラム。
【請求項１１】
前記曲データ再生プログラムは更に、前記リスト保持手段に保持されているプレイリストに含まれている曲名をユーザに入力させるためのダイアログをダイアログ表示手段に出力する手段を有することを特徴とする請求項９記載の曲データの再生プログラム。
【請求項１２】
前記曲データ再生プログラムは更に、前記リスト検索手段により検索されたプレイリストが複数あった場合に、再生するプレイリストをユーザに選択させるためのダイアログをダイアログ表示手段に出力する手段を有することを特徴とする請求項９から請求項１１のいずれか一項に記載の曲データの再生プログラム。
【発明の詳細な説明】
【技術分野】
【０００１】
本発明は、再生装置、曲データの再生方法、及び曲データの再生プログラムに関する。
【背景技術】
【０００２】
近年、デジタル技術の進展に伴ってオーディオ信号をデジタル信号として記録し、再生するデジタルオーディオシステムが広く普及している。例えば、音楽ＣＤ（コンパクトディスク）やＭＤ（ミニディスク）等がオーディオ信号に対応するデジタル信号の情報記憶媒体として用いられており、これらの情報記憶媒体に格納されたデジタル信号を読み出すことによりオーディオ音の再生が行われる。
【０００３】
また、最近では、音楽データを高品質かつ高効率に圧縮する音楽データ圧縮技術が注目されており、ＭＰ３（ＭＰＥＧ１オーディオ・レイヤＩＩＩ）、ＴｗｉｎＶＱ(Ｔｒａｎｓｆｏｒｍ  ｄｏｍａｉｎ  ｗｅｉｇｈｔｅｄ  ｉｎｔｅｒｌｅａｖｅ  Ｖｅｃｔｏｒ  Ｑｕａｎｔｉｚａｔｉｏｎ)、ＡＴＲＡＣ３（Ａｄａｐｔｉｖｅ  Ｔｒａｎｓｆｏｒｍ  Ａｃｏｕｓｔｉｃ  Ｃｏｄｉｎｇ３）等の各種の圧縮暗号化方式が普及している。
【０００４】
例えば、ＭＰ３方式を用いた場合には、音楽データをその品質をほとんど損なうことなく１／１０程度のデータ量に圧縮することができる。すなわち、従来の音楽ＣＤ１枚分（７４分間程度）に相当する６５０ＭＢの音楽データであれば、その音質をほぼ保ったままで６５ＭＢ前後のデータ量に圧縮することができることになる。逆に言えば、ＭＰ３方式等により音楽データの圧縮を行うことで、従来の音楽ＣＤ１０枚分に相当する音楽データを圧縮して１枚のＣＤに記憶させることができる。
【０００５】
このように、各種の圧縮方式によって圧縮された音楽データを各種の情報記憶媒体に格納しておき、この圧縮音楽データに基づいて音楽再生を行うタイプの再生装置が普及している。
【０００６】
また、音楽ＣＤ等の音楽メディアに記録されたＴＯＣ(Ｔａｂｌｅ  Ｏｆ  Ｃｏｎｔｅｎｔｓ)情報を使用してアーティスト名、ＣＤタイトル及びトラックタイトル等の音楽メディアに記録されていないデータ（楽曲情報）を検索し、それらのデータを管理する装置が提案されている。
【０００７】
音楽ＣＤには、オーディオ信号の他に、トラック数、各トラックの開始アドレス及び各トラック毎の演奏時間等のデータが含まれている。これらのデータはＴＯＣ情報といわれ、ＣＤの内周側のリードイン領域に書き込まれている。一般的なオーディオ装置では、音楽ＣＤの演奏中には、ディスプレイにトラック番号及び演奏時間を表示している。しかし、音楽ＣＤにはアーティスト名、ＣＤタイトル及びトラックタイトル（曲名）等のデータは記録されていないので、再生中の楽曲の曲名やアーティスト名を表示することはできない。
【０００８】
このため、近年、音楽ＣＤに含まれるＴＯＣ情報を使用して、ＴＯＣ情報に含まれていないアーティスト名、ミュージックジャンル、ＣＤタイトル及びトラックタイトル等の情報（楽曲情報）をデータベースから検索し、それらのデータを管理する音楽管理用ソフトウエアが開発されている。
【０００９】
また、インターネットには、このような音楽情報管理に使用するためのデータベース（ＣＤＤＢ）が公開されている。このＣＤＤＢは、音楽ＣＤに収録された楽曲情報を検索・認識するデータベースである。
【００１０】
この種の音楽情報管理システムでは、例えば、クライアント側のコンピュータのＣＤドライブに音楽ＣＤを装填すると、コンピュータはＣＤドライブにより読み出されたＴＯＣ情報を、通信回線を介して所定のＣＤＤＢ側のサーバに送信する。ＣＤＤＢ側のサーバでは、クライアントから送られてきたＴＯＣ情報を検索キーとしてデータベース内を検索し、当該ＣＤのＣＤタイトル、アーティスト名、ミュージックジャンル及びトラックタイトル等の情報をクライアントに送信する。
【００１１】
クライアントでは、ＣＤＤＢ側のサーバから送られてきた楽曲情報をＴＯＣ情報と関連付けてプレイリストを作成し、作成したプレイリストをコンピュータの記憶装置に記憶する。そして、音楽ＣＤを再生するときには、プレイリストをユーザに提供するようにしている。
【００１２】
特許文献１は、このようなプレイリストを作成できるオーディオプレーヤについて提案している。
【００１３】
【特許文献１】特開２００２−２３７７１号公報
【発明の開示】
【発明が解決しようとする課題】
【００１４】
しかしながら、上述のような再生装置では、音楽ＣＤ等からハードディスク等に曲が記録されたときに、再生装置側で上記のようなプレイリストが作成され、以降はユーザが各プレイリストから曲を選択することで、ハードディスク内の曲を再生できるようになっており、このプレイリストとしては、例えば、アーティスト別、アルバム別、ＡＬＬ（全曲）等に設定することができ、ユーザは任意のプレイリストからアルバムや曲を選択できるようになっているが、例えば「ＡＡＡ」というタイトルのアルバムを再生したいときに、このアルバムのタイトル「ＡＡＡ」を覚えていない場合、いずれのプレイリストからもこのアルバムを指定することができないという不便さがあった。
【００１５】
また、ユーザはアルバムのタイトルは覚えていなくても、そのアルバム中のシングルカットされた曲のタイトル（例えば「ａｂｃ」）だけは覚えていることも多く、このような場合に、その「ａｂｃ」という曲を「ＡＬＬ」のプレイリストから選択しても、その１曲のみの再生はできるものの、アルバム全体として再生することはできないという問題があった。
【００１６】
そこで、本発明は上記従来技術の問題点を解決し、プレイリストを特定する情報を知らない場合でも、プレイリストに含まれる曲情報から、その曲を含むプレイリストを再生できる再生装置、曲データの再生方法、及び曲データの再生プログラムを提供することを目的とする。
【課題を解決するための手段】
【００１７】
上記課題を解決するために、本発明の再生装置は、記憶手段に記憶された複数の曲データをプレイリスト単位で再生可能な再生装置において、曲名情報を含む曲データのプレイリストを作成するプレイリスト作成手段と、前記プレイリスト作成手段が作成したプレイリストを保持するリスト保持手段と、曲名を入力する曲名入力手段と、前記曲名入力手段により入力された曲名情報を有するプレイリストを前記リスト保持手段に保持されているプレイリストから検索するリスト検索手段と、前記リスト検索手段により検索されたプレイリストに従って、前記記憶手段に記憶された曲データを再生する再生手段とを有することを特徴とする。
【００１８】
本発明によれば、曲名入力手段により入力された曲名情報に基づいて、プレイリストを検索し、検索したプレイリストに従って、曲データを再生するようにしたので、ユーザは、プレイリストを特定する特定情報、例えばプレイリストに付加されたアルバムのタイトルを知らない場合でも、プレイリストに含まれる曲名等の曲情報から、その曲を含むプレイリストを特定して再生することができる。これにより、ユーザの操作性が向上される。
【００１９】
また、本発明の再生装置は、上記構成において、前記曲名入力手段は、前記記憶手段に記憶された複数の曲データの曲名をリスト表示し、該曲名リストの中から選択された曲名を入力することを特徴とする。本発明によれば、リスト表示された曲名リストの中から選択された曲名を入力するようにしたので、ユーザによる曲名の入力が簡略化される。
【００２０】
また、本発明の再生装置は、上記構成において、更に、前記リスト保持手段に保持されているプレイリストに含まれている曲名をユーザに入力させるためのダイアログを表示するダイアログ表示手段を有することを特徴とする。本発明によれば、前記リスト保持手段に保持されているプレイリストに含まれている曲名をユーザに入力させるためのダイアログを表示するようにしたので、ユーザは、この表示に基づいて、曲情報を入力することができる。
【００２１】
また、本発明の再生装置は、上記構成おいて、更に、前記リスト検索手段により検索されたプレイリストが複数あった場合に、再生するプレイリストをユーザに選択させるためのダイアログを表示するダイアログ表示手段を有することを特徴とする。本発明によれば、ユーザが希望するプレイリストを再生することができる。
【００２２】
また、本発明の曲データの再生方法は、記憶手段に記憶された複数の曲データをプレイリスト単位で再生可能な曲データの再生方法において、曲名情報を含む曲データのプレイリストを作成するプレイリスト作成段階と、前記プレイリスト作成段階で作成したプレイリストをリスト保持手段に保持させる段階と、曲名を入力する曲名入力段階と、前記曲名入力段階で入力された曲名情報を有するプレイリストを前記リスト保持手段に保持されているプレイリストから検索するリスト検索段階と、前記リスト検索手段で検索されたプレイリストに従って、前記記憶手段に記憶された曲データを再生する再生段階とを有することを特徴とする。
【００２３】
本発明によれば、入力された曲名情報に基づいて、プレイリストを検索し、検索されたプレイリストに従って、曲データを再生するようにしたので、ユーザは、プレイリストを特定する情報、例えばプレイリストに付加されたアルバムのタイトルを知らない場合でも、プレイリストに含まれる曲名等の曲情報から、その曲を含むプレイリストを検索して再生することができる。これにより、ユーザの操作性が向上される。
【００２４】
また、本発明の曲データの再生方法は、上記構成において、前記曲名入力段階は、前記記憶手段に記憶された複数の曲データの曲名をリスト表示し、該曲名リストの中から選択された曲名を入力することを特徴とする。本発明によれば、リスト表示された曲名リストの中から選択された曲名を入力するようにしたので、ユーザによる曲名の入力が簡略化される。
【００２５】
また、本発明の曲データ再生方法は、上記構成において、更に、前記リスト保持手段に保持されているプレイリストに含まれている曲名をユーザに入力させるためのダイアログを表示するダイアログ表示段階を有することを特徴とする。本発明によれば、前記リスト保持手段に保持されているプレイリストに含まれている曲名をユーザに入力させるためのダイアログを表示するようにしたので、ユーザは、この表示に基づいて、曲情報を入力することができる。
【００２６】
また、本発明の曲データ再生方法は、上記構成において、更に、前記リスト検索段階により検索されたプレイリストが複数あった場合に、再生するプレイリストをユーザに選択させるためのダイアログを表示するダイアログ表示段階を有することを特徴とする。本発明によれば、ユーザが希望するプレイリストを再生することができる。
【００２７】
また、本発明の曲データの再生プログラムは、記憶手段に記憶された複数の曲データをプレイリスト単位で再生させるために、コンピュータを、曲名情報を含む曲データのプレイリストを作成するプレイリスト作成手段、前記プレイリスト作成手段が作成したプレイリストをリスト保持手段に保持させる手段、曲名を入力する曲名入力手段、前記曲名入力手段により入力された曲名情報を有するプレイリストを前記リスト保持手段に保持されているプレイリストから検索するリスト検索手段、前記リスト検索手段により検索されたプレイリストに従って、前記記憶手段に記憶された曲データを再生させる手段として機能させる。
【００２８】
本発明によれば、入力された曲名情報に基づいて、プレイリストを検索し、検索されたプレイリストに従って、曲データを再生するようにしたので、ユーザは、プレイリストを特定する情報、例えばプレイリストに付加されたアルバムのタイトルを知らない場合でも、プレイリストに含まれる曲名等の曲情報から、その曲を含むプレイリストを検索して再生することができる。これにより、ユーザの操作性が向上される。
【００２９】
また、本発明の曲データの再生プログラムは、前記曲名入力手段は、前記記憶
手段に記憶された複数の曲データの曲名をリスト表示し、該曲名リストの中から選択された曲名を入力することを特徴とする。
【００３０】
本発明によれば、リスト表示された曲名リストの中から選択された曲名を入力するようにしたので、ユーザによる曲名の入力が簡略化される。
【００３１】
また、本発明の曲データ再生プログラムは、上記構成において、更に、前記リスト保持手段に保持されているプレイリストに含まれている曲名をユーザに入力させるためのダイアログをダイアログ表示手段に出力する手段を有することを特徴とする。本発明によれば、前記リスト保持手段に保持されているプレイリストに含まれている曲名をユーザに入力させるためのダイアログを表示するようにしたので、ユーザは、この表示に基づいて、曲情報を入力することができる。
【００３２】
また、本発明の曲データ再生プログラムは、上記構成において、更に、前記リスト検索手段により検索されたプレイリストが複数あった場合に、再生するプレイリストをユーザに選択させるためのダイアログをダイアログ表示手段に出力する手段を有することを特徴とする。本発明によれば、ユーザが希望するプレイリストを再生することができる。
【発明の効果】
【００３３】
以上説明したように、本発明によれば、プレイリストを特定する情報を知らない場合でも、プレイリストに含まれる曲情報から、その曲を含むプレイリストを再生できる再生装置、曲データの再生方法、及び曲データの再生プログラムを提供できる。
【発明を実施するための最良の形態】
【００３４】
以下、本発明を実施するための最良の形態について説明する。
【実施例】
【００３５】
図１は、本実施例による再生装置１の構成を示すブロック図である。再生装置１は、曲検索システムサーバ３０に接続されている。図１に示すように、再生装置１は、オーディオコントローラ１１と、メモリコントローラ１２とＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１４と、エンコーダ／デコーダ１５と、ＣＤ読取部１６と、ソース切替部１７と、アンプ１８と、ボリュームコントローラ１９とを有する。
【００３６】
ソース切替部１７は、音出力するコンテンツのソースを接続された情報ソースの中から切り換える。ソース切替部１７には、例えば図示するように、ラジオ受信部２５とＣＤ読取部１６（音楽ＣＤやＣＤ−ＲＯＭ等、以下ＣＤメディアという）と記憶装置（ＨＤＤ）２１とが接続されている。
【００３７】
オーディオコントローラ１１は、ユーザからＣＤメディアからの再生機能が選択された場合、メモリコントローラ１２を介してＲＯＭ１３又はＲＡＭ１４から所定のプログラム及び各種情報（以下で説明する動作を実現するプログラム及び各種情報）をロードし、これを実行する。即ち、ソース切替部１７においてＣＤ読取部１６を情報ソースとして設定させ、これにより入力された曲データをアンプ１８を介してボリュームコントローラ１９へ入力する。
【００３８】
また、オーディオコントローラ１１は、所定のプログラムに基づき、音楽ＣＤ（記録媒体）に記録されている曲データのプレイリストを作成するリスト作成手段、リスト作成手段により作成したプレイリストをＨＤＤ２１、ＲＡＭ１４等（リスト保持手段）に保持させる手段、外部から入力された曲情報に基づいて、ＨＤＤ２１、ＲＡＭ１４等（リスト保持手段）に保持されているプレイリストを検索するリスト検索手段、リスト検索手段により検索されたプレイリストに従って、ＨＤＤ２１（記憶手段）に複製された曲データを再生する再生手段として機能する。
【００３９】
また、オーディオコントローラ１１は、所定のプログラムに基づき、ＨＤＤ２１又はＲＡＭ１４等（リスト保持手段）に保持されているプレイリストに含まれている曲をユーザに選択させるためのダイアログを表示装置２４（ダイアログ表示手段）に出力する手段として機能する。
【００４０】
また、オーディオコントローラ１１は、所定のプログラムに基づき、ＨＤＤ２１又はＲＡＭ１４等（リスト保持手段）に保持されているプレイリストに含まれている曲をユーザに入力させるためのダイアログを表示装置２４（ダイアログ表示手段）に出力する手段として機能する。
【００４１】
また、オーディオコントローラ１１は、所定のプログラムに基づき、リスト検索手段により検索されたプレイリストが複数あった場合に、再生するプレイリストをユーザに選択させるためのダイアログを表示装置２４（ダイアログ表示手段）に出力する手段として機能する。また、オーディオコントローラ１１が曲名入力手段として機能する。
【００４２】
オーディオコントローラ１１は、ユーザにより設定された音量（ボリューム）に基づいて、ボリュームコントローラ１９を制御する。ボリュームコントローラ１９は、この制御に基づいて、対応する振幅のアナログ信号を生成し、これをスピーカ２２に入力して再生する。
【００４３】
このような構成において、ＣＤメディアに格納された曲データの複製が要求された場合、オーディオコントローラ１１は、ソース切替部１７を制御して、ＣＤ読取部１６で読み取った曲データの出力先をエンコーダ／デコーダ１５に切り換える。
【００４４】
エンコーダ／デコーダ１５は、入力された曲データを、ＭＰ３方式やＡＴＲＡＣ３方式等の所定の圧縮符号化方式で符号化し、これを記録装置（Ｈａｒｄ  Ｄｉｓｋ  Ｄｒｉｖｅ：ＨＤＤ）２１に格納する。
【００４５】
また、ＨＤＤ２１に記録された曲データを再生する場合、オーディオコントローラ１１は、ソース切替部１７を制御して情報ソースをＨＤＤ２１に設定し、出力先をエンコーダ／デコーダ１５に設定する。エンコーダ／デコーダ１５でデコードされた曲データは、その後、アンプ１８及びボリュームコントローラ１９を介してアナログ信号としてスピーカ２２より出力される。
【００４６】
次に、曲検索システムサーバ３０について説明する。図１に示すように、曲検索システムサーバ３０は、サーバ本体３１と楽曲情報データベース３２とにより構成されている。楽曲情報データベース３２には、多数の音楽ＣＤのＴＯＣ情報と、各音楽ＣＤ毎の楽曲情報（ＣＤタイトル、アーティスト名、ミュージックジャンル及びトラックタイトル等）とが記憶されている。なお、楽曲情報データベース３２は上記ＣＤＤＢに相当する。
【００４７】
次に、楽曲情報データベースに記憶されている楽曲情報について説明する。図２は、楽曲情報データベースに記憶されている楽曲情報を説明するための図である。図２に示すように、音楽ＣＤの楽曲情報には、ディスクタイトル：「Ｅｓｃａｐｅ−ＣＯＭＰＬＥＴＥ  ＢＥＳＴ−Ｄｉｓｃ１」、アーティスト名：「ＵＤＹ  ＡＮＤ  ＡＲＹ」、時間情報：「７３：２８」、ＩＳＲＣＮＯ．ＥＳＣＢ−２２３０、曲番号（ＮＯ．）：「１〜１５」、各曲番号に対応した曲のタイトル、各曲毎の時間情報（Ｔｉｍｅ）が含まれている。
【００４８】
次に、オーディオコントローラ１４で作成されるプレイリストの管理方法について説明する。図３は、プレイリストの管理機構を示す図であり、複数のプレイリストを管理するプレイリスト管理テーブル２１１と、プレイリスト管理テーブル２１１により管理されるプレイリスト２１２とで実現される。
【００４９】
このプレイリスト管理テーブル２１１に管理されるプレイリスト２１２は、ＨＤＤ２１に格納され、使用対象として選択されたプレイリスト２１２がＨＤＤ２１から主メモリ（ＲＯＭ１３／ＲＡＭ１４）にロードされ再生制御の際に参照される。このプレイリスト管理テーブル２１１に管理されるプレイリスト２１２は、任意に呼び出して編集することができる。
【００５０】
次に、プレイリストの作成方法について説明する。まず、オーディオコントローラ１１は、ＣＤ読取部１６にＣＤが挿入されたかどうかを判定し、ＣＤドライブに音楽ＣＤが装填されている場合には、ＣＤ読取部１６を介して音楽ＣＤのＴＯＣ情報を取得する。
【００５１】
次に、オーディオコントローラ１１は、通信部２６を介して、曲検索システムサーバ３０にアクセスして、取得したＴＯＣ情報を送信する。曲検索システムサーバ３０は、再生装置１からＴＯＣ情報を受信すると、ＴＯＣ情報を検索キーとして楽曲情報データベース３２を検索する。曲検索システムサーバ３０は、検索キーに一致した楽曲情報を再生装置１に送信する。これにより、オーディオコントローラ１１は、通信部２６を介して、曲検索システムサーバ３０からの楽曲情報を取得する。
【００５２】
オーディオコントローラ１１は、曲検索システムサーバ３０から得た楽曲情報、すなわち、ＣＤタイトル、アーティスト名、ミュージックジャンル及びトラックタイトル等の情報を音楽ＣＤのＴＯＣ情報と関連づけてプレイリストを作成し、これを表示装置２４に表示するとともに、メモリコントローラ１２を介して、ＲＡＭ１４に一時格納する。
【００５３】
また、オーディオコントローラ１１は、音楽ＣＤのＨＤＤ２１への複製が終了した後に、ＲＡＭ１４に格納したプレイリストをＨＤＤ２１のプレイリスト管理テーブル２１１に格納する。プレイリスト管理テーブル２１１に格納されたプレイリストは、再生時に主メモリにロードされ、再生制御の際に参照される。
【００５４】
次に本実施例に係る再生装置の動作について説明する。図４は、本実施例に係る再生装置の動作フローチャートである。再生装置１は、曲選択に当って、プレイリスト管理テーブル２１１が管理する全曲をリストに表示する全曲リストモード、ユーザが曲名で検索できる曲名検索モード、プレイリスト管理テーブル２１１によって管理されているプレイリストのプレイリスト名をリスト表示するプレイリスト選択モードがあるものとする。
【００５５】
ステップＳ１０１において、オーディオコントローラ１１は、現在、全曲リストモードか否かを判定する。ステップＳ１０１において、オーディオコントローラ１１は、全曲リストモードであると判定した場合には、ステップ１０２において、プレイリスト管理テーブル２１１に管理されているプレイリストに含まれている全ての曲を表示装置２４にリスト表示する。
【００５６】
図５は、プレイリスト管理テーブル２１１に管理されているプレイリストに含まれる全ての曲を表示装置２４にリスト表示した例を示している。図５の全曲リストには、プレイリスト管理テーブル２１１によって管理されているプレイリストに含まれる曲ａａａ、曲ａｂｃ、曲ｂｂｂ、曲ｃｃｃ、曲ｄｄｄ、曲ｄｆｇ、曲ｅｅｅ、曲ｆｆｆが示されている。
【００５７】
オーディオコントローラ１１は、プレイリスト管理テーブル２１１にアクセスして、必要な情報を取得することにより、プレイリスト管理テーブル２１１に保持されているプレイリストに含まれている曲をユーザに選択させるためのダイアログを表示する（図５）。
【００５８】
ステップＳ１０３において、オーディオコントローラ１１は、入力装置２３により図５で示した全曲リストの中から１曲が選択されたか否か判定する。ステップＳ１０４において、オーディオコントローラ１１は、入力装置２３によって曲が選択された場合には、プレイリスト管理テーブル２１１の中のプレイリストの中で、この曲が含まれるプレイリストを検索し、ステップＳ１０５に進む。
【００５９】
ステップＳ１０１において、オーディオコントローラ１１は、全曲リストモードで無いと判定した場合には、ステップＳ１１１に進む。ステップＳ１１１において、オーディオコントローラ１１は、曲名検索モードか否かを判定し、曲名検索モードであれば、ステップＳ１１２において、入力装置２３からの曲名入力を受け付ける。図６は、プレイリストに含まれている曲をユーザに入力させるためのダイアログの表示例を示している。図６に示す画面より、ユーザは任意の曲名を入力することができる。
【００６０】
ステップＳ１１３において、オーディオコントローラ１１は、ＨＤＤ２１のプレイリスト管理テーブル２１１にアクセスして、該当曲及び該当曲が含まれるプレイリストを検索する。
【００６１】
ステップＳ１１４において、オーディオコントローラ１１は、プレイリスト管理テーブル２１１に管理されるプレイリスト内に該当曲が有った場合には、ステップＳ１０５に進む。ステップＳ１１４において、オーディオコントローラ１１は、プレイリスト管理テーブル２１１に管理されているプレイリスト内に該当曲が無い場合には、ステップＳ１１５において、該当曲が無いことを表示装置２４に表示する。
【００６２】
ステップＳ１１１において、オーディオコントローラ１１は、曲名検索モードで無いと判定した場合には、ステップＳ１２１に進む。ステップＳ１２１において、オーディオコントローラ１１は、プレイリスト選択モードか否かを判定する。
【００６３】
ステップＳ１２１において、オーディオコントローラ１１は、プレイリスト選択モードであると判定した場合には、ステップＳ１２２において、ＨＤＤ２１のプレイリスト管理テーブル２１１にアクセスして、全てのプレイリスト名を取得して、プレイリスト名を表示装置２４にリスト表示する。
【００６４】
ステップＳ１２３において、オーディオコントローラ１１は、ユーザによりプレイリストが選択されたか否かを判定し、プレイリストが選択されている場合には、ステップＳ１０８に進む。ステップＳ１２１において、オーディオコントローラ１１は、プレイリスト選択モードで無いと判定した場合には、処理を終了する。
【００６５】
ステップＳ１０５に戻り、オーディオコントローラ１１は、該当するプレイリストが存在するか否かを判定し、該当プレイリストが無いと判定した場合には、ステップＳ１０９に進む。ステップＳ１０５において、オーディオコントローラ１１は、該当するプレイリストが複数有ると判定した場合には、再生するプレイリストをユーザに選択させるためのダイアログを表示する。
【００６６】
図７は、検索されたプレイリストが複数あった場合に、再生するプレイリストをユーザに選択させるためのダイアログの表示例を示している。図７では、ユーザにより曲「ｄｆｇ」が選択されたとした場合、この曲「ｄｆｇ」を含むプレイリスト（アルバムＡＡＡ、アルバムＢＢＢ、アルバムＣＣＣ）の中から任意のプレイリストをユーザが選択することができるようになっている。
【００６７】
ステップＳ１０６に進み、ユーザにより１曲再生又はプレイリスト全体再生が選択できる選択画面を表示装置２４に表示する。図８は、ユーザにより１曲再生又はプレイリスト全体再生が選択できる選択画面の表示例である。ユーザは、入力装置２３から図８に示すダイアログより、１曲だけを再生するのか又はプレイリスト全体を再生するのかを任意に選択できる。
【００６８】
ステップＳ１０７において、オーディオコントローラ１１は、１曲再生又はプレイリスト再生のいずれが選択されたのかを判定し、入力装置２３により１曲再生が選択された場合には、ステップＳ１０９に進む。ステップＳ１０９において、オーディオコントローラ１１は、ユーザにより選択された曲を１曲再生し、処理を終了する。
【００６９】
ステップＳ１０７において、オーディオコントローラ１１は、入力装置２３によりプレイリスト再生が選択された場合には、ステップＳ１０８に進む。ステップＳ１０８において、オーディオコントローラ１１は、入力装置２３によって選択されたプレイリストに従って、ＨＤＤ２１に記録された曲データを再生し、処理を終了する。
【００７０】
本実施例によれば、外部から入力された曲情報に基づいて、プレイリストを検索し、検索されたプレイリストに従って、曲データを再生するようにしたので、ユーザは、プレイリストを特定する情報、例えばプレイリストに付加されたアルバムのタイトルを知らない場合でも、プレイリストに含まれる曲名を知っていれば、その曲を含むプレイリストを検索して再生することができる。これにより、ユーザの操作性が向上される。
【００７１】
以上、本発明の一実施例を説明した。本発明は上記実施例に限定されるものではなく、本発明の要旨の範囲内において種々の変形が可能である。
【図面の簡単な説明】
【００７２】
【図１】本実施例による再生装置の構成を示すブロック図である。
【図２】楽曲情報データベースに記憶されている楽曲情報を説明するための図である。
【図３】プレイリストの管理機構を示す図である。
【図４】本実施例に係る再生装置の動作フローチャートである。
【図５】プレイリスト管理テーブルに管理されているプレイリストに含まれる全ての曲を表示装置にリスト表示した例を示した図である。
【図６】プレイリストに含まれている曲をユーザに入力させるためのダイアログの表示例を示した図である。
【図７】特定されたプレイリストが複数あった場合に、再生するプレイリストをユーザに選択させるためのダイアログの表示例を示した図である。
【図８】ユーザにより１曲再生又はプレイリスト全体再生が選択できる選択画面の表示例を示した図である。
【符号の説明】
【００７３】
１  再生装置
１１  オーディオコントローラ
１６  ＣＤ読取部
２１  記憶装置（ＨＤＤ）
２４  表示装置
３０  曲検索システムサーバ
【図１】
2005085303.tif 000003
【図２】
2005085303.tif 000004
【図３】
2005085303.tif 000005
【図４】
2005085303.tif 000006
【図５】
2005085303.tif 000007
【図６】
2005085303.tif 000008
【図７】
2005085303.tif 000009
【図８】
2005085303.tif 000010